(57)【要約】【解決手段】洗濯物のアイロン掛けのための格納式組立品であって、壁に固定され、その内部にアイロン（１８）とアイロン掛け台が備わるフレーム（１２）を備え、アイロン掛け台は、アイロン掛け面（１６）を有する後部、および、後部と一体化し装飾面または鏡を構成する前部（１０）とからなる。アイロン掛け台は、前部が壁に固定されたフレーム内において視認可能でありかつ後部が格納されている第１位置と、前部が格納されかつ後部がフレーム内において視認可能になる第２位置とをとることが可能である。後部は、第１位置から第２位置に、またその逆に、アイロン掛け台を切り替える第１移動回転手段と、第２位置にあるアイロン掛け台を、使用者がアイロン掛け面を使用できるように、フレーム内の垂直位置からテーブルとしての水平位置へ切り替える第２移動回転手段とを有する。【選択図】図２
2010512891.tif 000002
【特許請求の範囲】
【請求項１】
壁に取り付けられ、アイロン掛け台とアイロンとが嵌め込まれたフレーム（１２）を備える折り畳み式アイロン掛け装置であって、該装置は、アイロン掛け面（１６）を有する後部と、後部に結合し装飾面または鏡を有する前部（１０）とを備え、前記装置は、壁に取り付けられた前記フレーム内において前記前部が視認可能でありかつ前記後部が折り畳まれている第１位置と、前記前部が折り畳まれかつ前記後部が前記フレーム内において視認可能になっている第２位置とを有し、前記後部は、前記第１位置から前記第２位置へ、およびその逆に前記装置を移動させるための第１組移動回転手段と、前記第２位置における前記装置を、使用者が前記アイロン掛けを使用できるように前記フレーム内の垂直位置から水平位置に移動させる第２組移動回転手段（３４、３６、２０）とを有し、
前記第１移動回転手段は、前記後部の回りのフレーム（１４）、特に前記アイロン掛け面（１６）を支持するカート（２１）を有し、前記カートは、前記第１位置から前記第２位置、およびその逆に、前記アイロン掛け装置を移動させるために、ガイドレール（２６）の両側で回転する車輪（２２、２４）の働きで、前記フレームの一方の側から他方の側への横方向に移動されることを特徴とする折り畳み式アイロン掛け装置。
【請求項２】
前記カート（２１）はピボット（２８）を有し、該ピボット（２８）は前記カートが前記フレームの一方の側から他方の側に移動される間に、前記台を前記ピボット回りに回転させるように前記フレーム（１４）を支持する、請求項１に記載の装置。
【請求項３】
前記第２組移動回転手段は、前記アイロン掛け面（１６）の上末端の両側に位置する２本のピン（３４）と、前記フレーム（１４）の内側面にそれぞれ位置する２本の溝（３６）を備え、前記ピンが前記溝内を下へ摺動すると前記第２位置の前記アイロン掛け面が前記垂直位置から前記水平位置へ移動するように、前記ピンと前記アイロン掛け面の係止システム（２０）が前記溝内を摺動する、請求項１および２に記載の装置。
【請求項４】
前記位置決め手段（２０）は２本の支線を備えるフォーク形状の支持体であって、先端（３８、３９）が前記フレーム（１４）の基部に接しており、先端（４０）が前記アイロン掛け面（１６）下方に位置する溝（４２）内を摺動しながら保持される、請求項３に記載の装置。
【請求項５】
前記フレーム（１４）の前記溝（３６）内に位置し、ばねで作動する前記ピン（３４）と嵌合する穴であって、前記穴により、前記支持体の前記先端（４０）が前記アイロン掛け面の前記溝（４２）の先端に位置する穴に嵌め込まれている間、前記水平位置の前記アイロン掛け面（１６）が静止する、請求項４に記載の装置。
【請求項６】
水平位置にある間の前記アイロン掛け面の高さを調節するために、前記溝（３６）は複数の穴（４３、４４）を有し、前記アイロン掛け面（１６）の前記溝（４０）は複数の穴を有する、請求項５に記載の装置。
【請求項７】
アイロンの（１８）が、前記アイロン掛け面（１６）の壁に近い末端の空洞内の折り畳み位置にある、請求項１から６に記載の装置。
【請求項８】
前記アイロンは、ハンドル（５０）と基部（５２）とを有し、前記アイロンが折り畳まれている際、前記ハンドルは前記基部に沿うように折り畳まれている、請求項７に記載の装置。
【請求項９】
前記ハンドル（５０）は、ばね（６２）により係止位置に保持された係止押圧ボタン（５４）を有し、前記押圧ボタンは軸（５５）の回りで回転し、その先端（５６）は、前記ハンドルを作業位置に係止するように構成された第１係止クランク（５９）と、前記アイロンが折り畳まれている時、前記ハンドルを前記基部（５２）に折り畳んだ状態で係止するように構成された第２係止クランク（６０）とを備えたカムによって係止される、請求項８に記載の装置。
【発明の詳細な説明】
【技術分野】
【０００１】
本発明は、集合住宅あるいはホテルに設置される折り畳み式物品に関し、より詳細には、台およびアイロン付き折り畳み式装置を扱う。
【背景技術】
【０００２】
本装置に関連したアイロンおよびアイロン掛け台は、家庭において必須であり、かつ、頻繁に使用する物品に含まれる。しかしながら、スチームの使用によって改良されたものの、該物品で作業するためのセッティングが必要であり、アイロン掛けは依然苦痛である。乱雑なことが多い戸棚から台を取り出し設置するのは骨が折れる。その後、アイロンを探し、プラグを電源に接続しなければならず、また作業が終了した際には、逆の順序で同じ手順を全て行わなければならない。
【０００３】
最近市販された製品の中には、内部に台を備えている戸棚がある。その欠点は、大きくて扱いにくく見栄えが悪い上に、使用者にとって使いにくいことである。さらに、その製品が操作されている際、戸棚のドアは開いたままなので、アイロン掛け中の使用者の邪魔になる。
【発明の概要】
【発明が解決しようとする課題】
【０００４】
そこで、本発明の目的は、壁に折り畳むことが容易で、外見が鏡または絵のようであり、また、速やかに操作可能な状態にするために素早く広げることができる、アイロン掛け台およびアイロンからなる装置を提供することである。
【課題を解決するための手段】
【０００５】
したがって、本発明の成果は、アイロン掛け台が嵌め込まれた壁取り付けフレームを備えている折り畳み式アイロン掛け装置である。この装置は、アイロン掛け用面を有する後部と、後部に結合し、装飾面または鏡である前部とからなる。この装置は、壁取り付けフレーム上で前部が視認可能でかつ後部は折り畳まれている第１位置と、前部が折り畳まれかつ後部がフレーム内で視認可能になっている第２位置をとることができる。後部は、第１位置から第２位置へ、およびその逆に移動するための第１組移動回転手段と、使用者がアイロン掛け面を使用できるようにアイロン掛け台をフレーム内の垂直位置から水平位置に移動させる第２組移動回転手段を備える。
【０００６】
以下の図面を参照して、本発明の目的、成果および特性を、より明確に以下に記述する。
【図面の簡単な説明】
【０００７】
【図１】図１は、装飾面が見えている折り畳まれた場合の台およびアイロン掛け装置を示す。
【図２】図２は、装飾面が折り畳まれている一方で、アイロン掛け台とアイロンが視認可能である、本発明による装置を示す。
【図３】図３Ａおよび３Ｂは、台とアイロン一式の動きおよび回転を可能にするカートの断面図を示す。
【図４】図４Ａ、４Ｂ、４Ｃおよび４Ｄは、台とアイロン一式を視認可能にする動きおよび回転の各手順を示す。
【図５】図５Ａ、５Ｂおよび５Ｃは、作業のための位置にアイロン掛け面を回転させる動きおよび回転の各手順を示す。
【図６】図６は、使用準備のできたアイロンの図を示す。
【図７】図７は、使用時の位置および折り畳み位置におけるアイロンのハンドルの断面図を示す。
【発明を実施するため形態】
【０００８】
図１を参照すると、アイロン掛け装置は、第１位置において、壁に取り付けられたフレーム１２内に、絵または鏡などの装飾面である前部１０を備えている。
【０００９】
図２に示す主として後述の移動および回転により達する第２位置において、前部に結合した後部が視認可能になる。この後部は、それ自体がアイロン掛け面であるフレーム１４と、折り畳み式アイロン１８と、アイロン掛け面の下方に位置するフォーク形状の支持体を有し、後述するアイロン掛け面１６が水平に設置された際に支持体として機能する、支持体２０とを備えている。
【００１０】
アイロン掛け装置を図１に示す位置から図２に示す位置まで、すなわち、フレーム１２内において絵または鏡が視認可能な位置からアイロン掛け面１６が視認可能になる位置まで移動させるために、アイロン掛け装置は、その下側部分に、図３Ａおよび３Ｂの２つの垂直断面図に示すカートを備えている。
【００１１】
アイロン掛け台のフレーム１４は、２対の車輪２２および２４の働きで移動可能なカート２１上に装着されている。車輪各対の車輪は、レールガイド２６の両側に位置する。カート２１は、車輪２２および２４により支持され、アイロン掛け面のフレーム１４に装着される円筒環状のピボット２８を備える。
【００１２】
使用者がアイロン掛け装置を使用したい場合、その装置を開くには、カートが左側に位置する場合は右に、カートが右側に位置する場合は左に、前部１０を手前に引き出す。前部を回転させながら、使用者がこの前部をカートの位置に応じて右または左へ引くことで、フレーム１２の全幅に沿って伸びるガイドレール２６によって誘導される車輪２２、２４上で、カートが左から右へ（または右から左へ）移動する。アイロン掛け面１６は、カートが動いている間、フレーム１２の上部水平部分に位置する溝内にとどまる垂直軸を上部に備えることに留意されたい。
【００１３】
図４Ａないし４Ｄは、装置が左に開き右に回転する場合のアイロン掛け面の移動および回転の各手順を水平断面図により示す。図４Ａでは、装置が折り畳まれており、ねじ３０および３１により壁に取り付けられるフレーム１２内において、前部１０（絵または鏡）が視認可能である。主にアイロン掛け面１６と支持体２０とからなる後部は、前部１０の後ろで折り畳まれている。カート２１のピボット２８が、フレーム１４の右側部分に見えていることに留意されたい。
【００１４】
図４Ｂに示す第１段階において、アイロン掛け台は開いており、ガイドレール２６によって誘導されている車輪によるカート２１の動きにより、アイロン掛け台は、その右側が右から左に移動しながら、軸２８の回りを回転する。
【００１５】
図４Ｃに示す第２段階において、アイロン掛け面１６は軸２８の回りをほぼ１８０°回転し、カートはフレーム１２のほぼ全幅を右から左に移動する。
【００１６】
動作の最後では、図４Ｄに示すように、カートは左端部に到達し、アイロン掛け台は、アイロン掛け台１６がフレーム１２内で視認可能であり、絵または鏡を備えている前部が折り畳まれている最終位置におかれる。
【００１７】
アイロン掛け面が動きおよび回転により視認可能になると、図５Ａ、５Ｂおよび５Ｃに示す以下の各手順により水平に設置される。この動作は、上端部の両側に位置し、フレーム１４の両側の内側面にそれぞれ位置する２本の溝３６内を摺動する２本のピンの働きで、台を摺動させて行う。
【００１８】
２本の溝３６内の両ピン３４を摺動させるために、アイロン掛け面１６の上端部に上から下に圧力が加わると、アイロン掛け面は支持体２０によって保持されているので、図５Ａに示すようにこれら２本のピンの回りを回転しやすい。図２に示すように、支持体２０は、フレーム１４の基部に支持された先端３８および３９を有する２本の支線を備えたフォーク形状であることに留意されたい。図５Ａ、５Ｂおよび５Ｃに示すように、アイロン掛け面が回転する際、先端４０を有するアイロン掛け台の支持体は、アイロン掛け面１６の下に位置する溝４２内を摺動しながら保持され、アイロン掛け台の支持体の両支線３８および３９の末端に位置しフレーム１６に結合した２つの軸の回りを回転する。
【００１９】
図５Ａおよび５Ｂに示すように、アイロン掛け面が回転した後、アイロン掛け面は、図５Ｃに示すようにその最終位置である水平位置になる。この最終位置において、末端４０が溝４２の先端に位置する穴に嵌合する一方、フレーム１４の溝３６に位置する２つの穴に２つのばねの作用により嵌合する２本のピン３４の働きで、表面１６がこの位置に維持される。アイロン掛け面の高さは、末端４０が溝４２内において壁により近い穴（図示せず）にある間に、フレーム内のより高い位置にある穴４３および４４のような穴に嵌合することによって調節できることに留意されたい。
【００２０】
図６の作業位置におけるアイロン１８は、折り畳み位置において、図２に示すように、壁の近くで、アイロン掛け面の先端の穴に嵌め込まれている。この折り畳み位置において、（中空の）ハンドル５０は、基部５２に隣接する折り畳み位置にある。
【００２１】
使用者がアイロン１８を使用したい場合、図７に示すように、使用者は最初にハンドル５０を作業位置に配置しなければならない。待機位置のハンドルは、図上の点線で示すように、水平位置に係止される。この係止は、軸の回りを回転する係止押圧ボタン５４と、ハンドルを作業位置に係止する第１係止クランク５９とハンドルを静止位置に係止する第２係止クランク６０に嵌合するカンチレバーによって係止される末端５６とにより行われる。押圧ボタンは、ばね６２の働きにより係止位置に保持される。係止を解除するには、使用者はボタン５４を押して、係止クランクの先端５６を開放するだけでよい。
【００２２】
ハンドル５０の下側部分において、係止フック６４は、穴６６によってカムと分離されている。使用者がロック５９から先端５６を解放する押圧ボタン５４を押した後でハンドルを静止位置（点線）に設置する際、ハンドルは軸６８の回りを９０°回転する。この回転中に、図７に示すように、環の一部のような固定ピン７０は、穴６６に嵌合する。押圧ボタン５４を開放した後、その先端５６は係止クランク６０に嵌合する。したがって、アイロンは、穴６６に係止されたピン７０により静止され、ハンドルが水平位置に係止される。
【図１】
2010512891.tif 000003
【図２】
2010512891.tif 000004
【図３Ａ】
2010512891.tif 000005
【図３Ｂ】
2010512891.tif 000006
【図４Ａ】
2010512891.tif 000007
【図４Ｂ】
2010512891.tif 000008
【図４Ｃ】
2010512891.tif 000009
【図４Ｄ】
2010512891.tif 000010
【図５Ａ】
2010512891.tif 000011
【図５Ｂ】
2010512891.tif 000012
【図５Ｃ】
2010512891.tif 000013
【図６】
2010512891.tif 000014
【図７】
2010512891.tif 000015
【国際調査報告】
2010512891.tif 000016
2010512891.tif 000017
2010512891.tif 000018
2010512891.tif 000019
2010512891.tif 000020
2010512891.tif 000021